(57)【要約】【課題】複数のドライバが１つのハイブリッドＴＶチューナボードを共有するためのハードウェア仕組みを実現して小型化を可能にしたハイブリッドテレビジョン信号受信ボード、ハイブリッドテレビジョン信号受信システムおよび情報処理装置のテレビジョン信号受信方法を提供する。【解決手段】２つの独立したアナログＴＶドライバ２１とデジタルＴＶドライバ２２が、１つのハイブリッドテレビジョン信号受信ボード１０を共有する。調停回路１８は、２つのドライバ２１，２２が、１つのハイブリッドテレビジョン信号受信ボード１０を共有するＴＶモード割当回路を実現している。【選択図】      図１
2007089039.tif 000002
【特許請求の範囲】
【請求項１】
コンピュータに接続するインタフェース手段を有し、アナログテレビジョン信号とデジタルテレビジョン信号とのいずれか１つのテレビジョン信号を受信するハイブリッドテレビジョン信号受信ボードにおいて、
前記コンピュータに設けられた複数のドライバからアナログテレビジョン信号の受信モード若しくはデジタルテレビジョン信号の受信モードを指定したテレビジョンモードの割り当てリクエストを受け付け、受け付けたテレビジョンモードの割り当てリクエストに対してテレビジョンモードの割り当て情報を応答するテレビジョンモード割り当て制御手段を具備したことを特徴とするハイブリッドテレビジョン信号受信ボード。
【請求項２】
前記テレビジョンモードの割り当て情報は、
アイドル状態、
アナログテレビジョン使用、
デジタルテレビジョン使用
のいずれかを示すステータス情報により構成されることを特徴とする請求項１記載のハイブリッドテレビジョン信号受信ボード。
【請求項３】
前記テレビジョンモードの割り当て情報は、
アイドル状態、
アナログテレビジョン使用、
デジタルテレビジョン使用
競合状態
のいずれかを示すステータス情報により構成されることを特徴とする請求項１記載のハイブリッドテレビジョン信号受信ボード。
【請求項４】
アナログテレビジョン信号とデジタルテレビジョン信号とのいずれか１つのテレビジョン信号を受信するハイブリッドテレビジョン信号受信ボードの接続インタフェースと、
前記接続インタフェースに接続された前記ハイブリッドテレビジョン信号受信ボードに対して前記アナログテレビジョン信号の受信モードを指定したテレビジョンモードの割り当てリクエストを発行するアナログテレビジョンドライバと、
前記接続インタフェースに接続された前記ハイブリッドテレビジョン信号受信ボードに対して前記デジタルテレビジョン信号の受信モードを指定したテレビジョンモードの割り当てリクエストを発行するデジタルテレビジョンドライバと
を具備したことを特徴とするハイブリッドテレビジョン信号受信システム。
【請求項５】
前記アナログテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにアナログテレビジョンモードの割り当てリクエストを送信する手段と、
前記アナログテレビジョンモードの割り当てリクエストを送信した後、前記テレビジョンモードの割り当てステータスをチェックし、当該ステータスが、アナログテレビジョン使用を示しているとき前記ハイブリッドテレビジョン信号受信ボードに対するテレビジョンモードの割り当てに成功したことを判定し、前記割り当てステータスが、デジタルテレビジョン使用を示しているとき前記テレビジョンモードの割り当てに失敗したことを判定する手段と
を具備したことを特徴とする請求項４記載のハイブリッドテレビジョン信号受信システム。
【請求項６】
前記デジタルテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにデジタルテレビジョンモードの割り当てリクエストを送信する手段と、
前記デジタルテレビジョンモードの割り当てリクエストを送信した後、前記テレビジョンモードの割り当てステータスをチェックし、当該ステータスが、デジタルテレビジョン使用を示しているとき前記ハイブリッドテレビジョン信号受信ボードに対するテレビジョンモードの割り当てに成功したことを判定し、前記割り当てステータスが、アナログテレビジョン使用を示しているとき前記テレビジョンモードの割り当てに失敗したことを判定する手段と
を具備したことを特徴とする請求項４または５記載のハイブリッドテレビジョン信号受信システム。
【請求項７】
前記アナログテレビジョンドライバおよび前記デジタルテレビジョンドライバは、前記ハイブリッドテレビジョン信号受信ボードから受信したテレビジョンモードの割り当てステータスをチェックし、当該ステータスが、競合状態を示しているとき、所定の時間を待って前記テレビジョンモードの割り当てリクエストを再送する手段を具備する請求項４または５または６記載のハイブリッドテレビジョン信号受信システム。
【請求項８】
アナログテレビジョン信号とデジタルテレビジョン信号とのいずれか１つのテレビジョン信号を受信するハイブリッドテレビジョン信号受信ボードの接続インタフェースと、
前記接続インタフェースに接続された前記ハイブリッドテレビジョン信号受信ボードに対して前記アナログテレビジョン信号の受信モードを指定したテレビジョンモードの割り当てリクエストを発行するアナログテレビジョンドライバと、
前記接続インタフェースに接続された前記ハイブリッドテレビジョン信号受信ボードに対して前記デジタルテレビジョン信号の受信モードを指定したテレビジョンモードの割り当てリクエストを発行するデジタルテレビジョンドライバとを備えた情報処理装置のテレビジョン信号受信方法に於いて、
前記アナログテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにアナログテレビジョンモードの割り当てリクエストを送信するステップと、前記アナログテレビジョンモードの割り当てリクエストを送信した後、前記テレビジョンモードの割り当てステータスをチェックし、当該ステータスが、アナログテレビジョン使用を示しているとき前記ハイブリッドテレビジョン信号受信ボードに対するテレビジョンモードの割り当てに成功したことを判定し、前記割り当てステータスが、デジタルテレビジョン使用を示しているとき前記テレビジョンモードの割り当てに失敗したことを判定するステップとを具備し、
前記デジタルテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにデジタルテレビジョンモードの割り当てリクエストを送信するステップと、前記デジタルテレビジョンモードの割り当てリクエストを送信した後、前記テレビジョンモードの割り当てステータスをチェックし、当該ステータスが、デジタルテレビジョン使用を示しているとき前記ハイブリッドテレビジョン信号受信ボードに対するテレビジョンモードの割り当てに成功したことを判定し、前記割り当てステータスが、アナログテレビジョン使用を示しているとき前記テレビジョンモードの割り当てに失敗したことを判定するステップとを具備して、
前記各ドライバが前記ハイブリッドテレビジョン信号受信ボードにより排他制御されることを特徴とする情報処理装置のテレビジョン信号受信方法。
【発明の詳細な説明】
【技術分野】
【０００１】
本発明は、アナログテレビジョン信号とデジタルテレビジョン信号とのいずれか１つのテレビジョン信号を受信する受信機能を備えた機器に適用して好適なハイブリッドテレビジョン信号受信ボード、ハイブリッドテレビジョン信号受信システムおよび情報処理装置のテレビジョン信号受信方法に関する。
【背景技術】
【０００２】
従来、パーソナルコンピュータに搭載可能なテレビジョン（ＴＶ）チューナとして、アナログＴＶ放送の受信機能とデジタルＴＶ放送の受信機能とをもつ、所謂、ハイブリッドＴＶチューナが存在する。さらに、この種、ハイブリッドＴＶチューナを対象とした受信技術として、例えばデジタルＴＶ信号／アナログＴＶ信号の検出を行い、アナログＴＶ信号を検出したときにデジタルＴＶ信号のモード検出処理をスキップしてチャンネルサーチを高速化する技術が存在する。また、アナログＴＶ受信手段、およびデジタルＴＶ受信手段の動作状態を所定の条件に従い変更する技術が存在する。
【特許文献１】特開２００１−２３０６８９号公報
【特許文献２】特開２００４−０５６１７８号公報
【発明の開示】
【発明が解決しようとする課題】
【０００３】
上記したハイブリッドＴＶチューナをパーソナルコンピュータに搭載する際の技術的な問題点を以下に示す。  
ＯＳ（ＷＩＮＤＯＷＳ（登録商標））の制約により、１つのドライバが複数のＰＣＩインターフェースに接続された複数のハードウェアコンポーネントを制御することはできない。そのため、既存のアナログＴＶ用のＭＰＥＧエンコーダチップとデジタルＴＶ用のＴＳキャプチャチップを搭載したとき、１つのドライバでこれら２つのチップを統合しようとした場合、ＰＣＩブリッジを追加する必要がある。一方、ＭＰＥＧエンコーダチップもデジタルＴＶ用のＴＳキャプチャチップも各々ＰＣＩインターフェースを備えているため、ＰＣＩブリッジを追加するのは、小型化の妨げになり、効率的でない。
【０００４】
そこで、２つの独立したドライバが各々アナログＴＶ用のＭＰＥＧエンコーダチップとデジタルＴＶ用のＴＳキャプチャチップを制御するようにすれば、上記ＰＣＩブリッジを追加する必要なくなるが、どちらか１つのドライバがハードウェアを使用するような排他制御が必要となる。
【０００５】
この問題を解決するため、本発明は、複数のドライバが１つのハイブリッドＴＶチューナボードを共有するためのハードウェア仕組みを実現して小型化を可能にしたハイブリッドテレビジョン信号受信ボード、ハイブリッドテレビジョン信号受信システムおよび情報処理装置のテレビジョン信号受信方法を提供する。
【課題を解決するための手段】
【０００６】
本発明は、コンピュータに接続するインタフェース手段を有し、アナログテレビジョン信号とデジタルテレビジョン信号とのいずれか１つのテレビジョン信号を受信するハイブリッドテレビジョン信号受信ボードにおいて、前記コンピュータに設けられた複数のドライバからアナログテレビジョン信号の受信モード若しくはデジタルテレビジョン信号の受信モードを指定したテレビジョンモードの割り当てリクエストを受け付け、受け付けたテレビジョンモードの割り当てリクエストに対してテレビジョンモードの割り当て情報を応答するテレビジョンモード割り当て制御手段を具備したことを特徴とする。
【０００７】
また、本発明は、アナログテレビジョン信号とデジタルテレビジョン信号とのいずれか１つのテレビジョン信号を受信するハイブリッドテレビジョン信号受信ボードの接続インタフェースと、前記接続インタフェースに接続された前記ハイブリッドテレビジョン信号受信ボードに対して前記アナログテレビジョン信号の受信モードを指定したテレビジョンモードの割り当てリクエストを発行するアナログテレビジョンドライバと、前記接続インタフェースに接続された前記ハイブリッドテレビジョン信号受信ボードに対して前記デジタルテレビジョン信号の受信モードを指定したテレビジョンモードの割り当てリクエストを発行するデジタルテレビジョンドライバとを具備したハイブリッドテレビジョン信号受信システムを特徴とする。
【０００８】
また、本発明は、アナログテレビジョン信号とデジタルテレビジョン信号とのいずれか１つのテレビジョン信号を受信するハイブリッドテレビジョン信号受信ボードの接続インタフェースと、前記接続インタフェースに接続された前記ハイブリッドテレビジョン信号受信ボードに対して前記アナログテレビジョン信号の受信モードを指定したテレビジョンモードの割り当てリクエストを発行するアナログテレビジョンドライバと、前記接続インタフェースに接続された前記ハイブリッドテレビジョン信号受信ボードに対して前記デジタルテレビジョン信号の受信モードを指定したテレビジョンモードの割り当てリクエストを発行するデジタルテレビジョンドライバとを備えた情報処理装置のテレビジョン信号受信方法に於いて、前記アナログテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにアナログテレビジョンモードの割り当てリクエストを送信するステップと、前記アナログテレビジョンモードの割り当てリクエストを送信した後、前記テレビジョンモードの割り当てステータスをチェックし、当該ステータスが、アナログテレビジョン使用を示しているとき前記ハイブリッドテレビジョン信号受信ボードに対するテレビジョンモードの割り当てに成功したことを判定し、前記割り当てステータスが、デジタルテレビジョン使用を示しているとき前記テレビジョンモードの割り当てに失敗したことを判定するステップとを具備し、前記デジタルテレビジョンドライバは、前記ハイブリッドテレビジョン信号受信ボードから受信したテレビジョンモードの割り当てステータスをチェックし、当該ステータスが、アイドル状態を示しているとき、前記ハイブリッドテレビジョン信号受信ボードにデジタルテレビジョンモードの割り当てリクエストを送信するステップと、前記デジタルテレビジョンモードの割り当てリクエストを送信した後、前記テレビジョンモードの割り当てステータスをチェックし、当該ステータスが、デジタルテレビジョン使用を示しているとき前記ハイブリッドテレビジョン信号受信ボードに対するテレビジョンモードの割り当てに成功したことを判定し、前記割り当てステータスが、アナログテレビジョン使用を示しているとき前記テレビジョンモードの割り当てに失敗したことを判定するステップとを具備して、前記各ドライバが前記ハイブリッドテレビジョン信号受信ボードにより排他制御されることを特徴とする。
【発明の効果】
【０００９】
複数のドライバが１つのハイブリッドＴＶチューナボードを共有するためのハードウェア仕組みを実現して小型化を可能にした。
【発明を実施するための最良の形態】
【００１０】
以下図面を参照して本発明の実施形態を説明する。
【００１１】
図１に本発明の第１実施形態に係るハイブリッドテレビジョン信号受信ボードおよびハイブリッドテレビジョン信号受信システムの構成を示す。
【００１２】
この図１に示す本発明の第１実施形態に係るハイブリッドテレビジョン信号受信ボード１０は、アンテナ１１、フロントエンドチューナ部１２、ＩＦ信号切替部１３、アナログＴＶ（テレビジョン）復調部１４、ＭＰＥＧエンコーダ部１５、デジタルＴＶ復調部１６、ＭＰＥＧのＴＳキャプチャ部１７、ＴＶモード割当回路（調停回路）１８等を有して構成される。
【００１３】
また、ハイブリッドテレビジョン信号受信システムは、ハイブリッドテレビジョン信号受信ボード１０と、パーソナルコンピュータ２０に設けられた、アナログＴＶドライバ２１、デジタルＴＶドライバ２２、およびＴＶアプリケーション２３とを有して構成される。ハイブリッドテレビジョン信号受信ボード１０とパーソナルコンピュータ２０は、この実施形態では、ＰＣＩバスインタフェースにより接続されている。
【００１４】
アンテナ１１を含んだフロントエンドチューナ部１２は、アナログテレビジョン放送の受信機能とデジタルテレビジョン放送の受信機能とを備えて、図示しない制御部の制御の下にアナログテレビジョン放送若しくはデジタルテレビジョン放送のいずれか一方のＴＶ信号を出力する。
【００１５】
ＩＦ信号切替部１３はフロントエンドチューナ部１２から出力されたＩＦ増幅後のアナログＴＶ信号をアナログＴＶ復調部１４に送出し、デジタルＴＶ信号をＭＰＥＧエンコーダ部１５に送出する。
【００１６】
ＭＰＥＧエンコーダ部１５は、アナログＴＶ信号（音声および映像）をＭＰＥＧのＰＳストリームにエンコードし、ＰＣＩバスを経由して、パーソナルコンピュータ２０に転送する。
【００１７】
デジタルＴＶ復調部１６は、ＯＦＤＭ（Orthogononal Frequency Division Multiplexing）やＶＳＢ（Vrstigial Sideband）の復調および誤り訂正処理を行い、ＭＰＥＧのＴＳストリームを出力する。
【００１８】
ＭＰＥＧのＴＳキャプチャ部１７は、デジタルＴＶ復調部１６から受信したＭＰＥＧのＴＳストリームをパーソナルコンピュータ２０に転送する。
【００１９】
ＴＶモード割当回路となる調停回路１８は、パーソナルコンピュータ２０にインストールされたアナログＴＶドライバ２１、およびデジタルＴＶドライバ２２からのＴＶモードの切替リクエストに対して、ＴＶモードの割り当てを行う。
【００２０】
図１に示すように、独立したアナログＴＶドライバ２１とデジタルＴＶドライバ２２が１つのハイブリッドＴＶチューナ受信装置（ハイブリッドテレビジョン信号受信ボード１０）を共有する点が本発明の特徴である。そして上記調停回路１８は、２つのドライバが１つのハイブリッドＴＶチューナ受信装置を共有する回路を実現している。
【００２１】
図２に本発明の実施形態に係る調停回路１８の構成を示す。  
図２に示す本発明の実施形態に係る調停回路１８は、少なくとも２ビットのリクエスト（ＲＥＱ［０］，ＲＥＱ［１］）を入力する入力端と、２ビットのステータス（ＳＴＡＴＵＳ［０］，ＳＴＡＴＵＳ［１］）を出力する出力端を備える。パーソナルコンピュータ２０にインストールされたアナログＴＶドライバ２１およびデジタルＴＶドライバ２２は、それぞれＭＰＥＧエンコーダ部１５、ＴＳキャプチャ部１７のＧＰＩＯ（汎用ＩＯ）を経由し、上記ステータス出力を読みとることができる。また、アナログＴＶドライバ２１は、リクエスト入力の第０ビット（ＲＥＱ［０］）を自由に書き込みができる。同様に、デジタルＴＶドライバ２２は、リクエスト入力の第１ビット（ＲＥＱ［１］）を自由に書き込みができる。そして、調停回路１８は、下記のステータス（ＳＴＡＴＵＳ［０］，ＳＴＡＴＵＳ［１］）を出力する。
【００２２】
記
ＳＴＡＴＵＳ［０］，［１］
“００”  ＝  アイドル
“０１”  ＝  アナログＴＶ使用（ＯＫ）
“１０”  ＝  デジタルＴＶ使用（ＯＫ）
“１１”  ＝  競合
図３に上記調停回路１８の詳細な機能を示す。図３に示す調停回路１８は、論理ゲート部（図４参照）１８ａと、ステータス（ＳＴＡＴＵＳ［０］，ＳＴＡＴＵＳ［１］）をラッチするラッチ回路（Ｌ）１８ｂ，１８ｃとを有して構成される。
【００２３】
調停回路１８は、アナログＴＶドライバ２１およびデジタルＴＶドライバ２２からのリクエスト（ＲＥＱ［０］，ＲＥＱ［１］）と、現在（１クロック前）のステータスとによって、回路に付随して示す、ステータス（ＳＴＡＴＵＳ［０］，ＳＴＡＴＵＳ［１］）を返す。図３に示すように“アイドル”状態のときに、アナログＴＶの割り当て要求（アナログＴＶドライバ２１からの割り当て要求）を受けると、“アナログＴＶの使用（ＯＫ）”を返す。また、デジタルＴＶの割り当て要求（デジタルＴＶドライバ２２からの割り当て要求）を受けると、“デジタルＴＶの使用（ＯＫ）”を返す。また、同時にアナログＴＶとデジタルＴＶの割り当て要求がある場合には、“競合”ステータスを返す。また、現在のステータスが“アナログＴＶの使用（ＯＫ）”状態のときに、アナログＴＶの割り当て要求を受けると、そのまま“アナログＴＶの使用（ＯＫ）”を返し、“アナログＴＶの使用（ＯＫ）”状態のときに、デジタルＴＶの割り当て要求を受けても、そのまま“アナログＴＶの使用（ＯＫ）”を返す。
【００２４】
同様に現在のステータスが“デジタルＴＶの使用（ＯＫ）”状態のときに、デジタルＴＶの割り当て要求を受けると、そのまま“デジタルＴＶの使用（ＯＫ）”を返し、“デジタルＴＶの使用（ＯＫ）”状態のときに、アナログＴＶの割り当て要求を受けても、そのまま“デジタルＴＶの使用（ＯＫ）”を返す。また、現在のステータスが“競合”状態のときに、アナログＴＶの割り当て要求のみを受けると、そのまま“アナログＴＶの使用（ＯＫ）”を返し、“競合”状態のときに、デジタルＴＶの割り当て要求のみを受けたときは、そのまま“デジタルＴＶの使用（ＯＫ）”を返す。そして、アナログＴＶとデジタルＴＶの両方から割り当て要求がある場合には、“競合”ステータスを返す。
【００２５】
なお、上記調停回路１８のステータス出力を図１に示すように、ＩＦ信号切替部１３に入力し、調停回路１８のスタータス出力に応じてＩＦ信号を切り替えるようにしてもよい。
【００２６】
上記した調停回路１８の具体的な回路構成例を図４に示す。この図４に示す調停回路１８の論理ゲート部は、アンドゲートと、オアゲートと、インバータとにより構成される。図中のステータス入力は、図３に示すラッチ回路（Ｌ）１８ｂ，１８ｃの出力である。図３に示すように簡単な論理回路で調停回路１８を構成することができる。
【００２７】
図５に一例として、ＴＶドライバの処理手順を示す。  
アナログＴＶドライバ２１は、調停回路１８のステータスをＭＰＥＧエンコーダチップのＧＰＩＯを使って読み出し、ステータスをチェックする（ステップＳ１１）。ここで、ステータスが“アイドル”であれば（ステップＳ１１  ＹＥＳ）、ＭＰＥＧエンコーダ１５のＧＰＩＯを経由して調停回路１８のリクエスト入力の第０ビット（ＲＥＱ［０］）を”１”にセットしてアナログＴＶモードの割り当てリクエストを送信する（ステップＳ１２）。その後調停回路１８のステータスを再度読み出してステータスをチェックし（ステップＳ１３，Ｓ１４）、調停回路１８のステータスが“アナログＴＶ”であれば、ハイブリッドＴＶ信号受信ボード１０のＴＶモードの割り当てに成功したことを判定する（ステップＳ１４  ＹＥＳ）。そしてアナログＴＶ信号を受信するよう、ハイブリッドテレビジョン信号受信ボード１０のハードウェアを制御する。一方、割り当てステータスが“デジタルＴＶ”となった場合は、割り当てに失敗したことを判定する（ステップＳ１４  ＮＯ、Ｓ１３  ＹＥＳ）。そして当該アナログＴＶドライバ２１に対してチューニングリクエスト等を出したＴＶアプリケーション２３に対し、エラー報告を行う。
【００２８】
デジタルＴＶドライバ２２も上記アナログＴＶドライバ２１と同様に、調停回路１８のステータスをＭＰＥＧエンコーダチップのＧＰＩＯを使って読み出し、ステータスをチェックする。そして、ステータスが“アイドル”であれば、ＴＳ処理部のＧＰＩＯを経由して調停回路１８のリクエスト入力の第１ビット（ＲＥＱ［１］）を”１”にセットしてデジタルＴＶモード割り当てリクエストを送信する。その後、調停回路１８のステータスを再度読み出してステータスをチェックし、調停回路１８のステータスが“デジタルＴＶ”であれば、ハイブリッドテレビジョン信号受信ボード１０のＴＶモードの割り当てに成功したことを判定して、デジタルＴＶ信号を受信するよう、ハイブリッドテレビジョン信号受信ボード１０のハードウェアを制御する。一方、割り当てステータスが“アナログＴＶ”となった場合は、割り当てに失敗したことを判定して、当該デジタルＴＶドライバ２２に対してチューニングリクエスト等を出したＴＶアプリケーション２３に対し、エラー報告を行う。
【００２９】
図６に、２つのＴＶドライバ（アナログＴＶドライバ２１とデジタルＴＶドライバ２２）が同時にリクエストを出して、“競合”となった場合の処理手順を示している。なお、図中のステップＳ２１，Ｓ２２，Ｓ２４，Ｓ２５は上記図５に示すステップＳ１１，Ｓ１２，Ｓ１３，Ｓ１４と同様の処理を行う。ここでは、もし、２つのＴＶドライバ（アナログＴＶドライバ２１とデジタルＴＶドライバ２２）が同時にリクエスト（アナログＴＶモード割り当てリクエスト／デジタルＴＶモード割り当てリクエスト）を出して、“競合”となった場合（ステップＳ２３  ＹＥＳ）、各ドライバ（アナログＴＶドライバ２１とデジタルＴＶドライバ２２）は、ランダムな時間、待って（ステップＳ２７）、再度、リクエスト（アナログＴＶモード割り当てリクエスト／デジタルＴＶモード割り当てリクエスト）を送信する。この際、リクエストの再送信が所定の回数を超えた場合（ステップＳ２６  ＹＥＳ）は、ＴＶアプリケーション２３に対し、エラー報告を行う。
【００３０】
ここでは、２つのＴＶドライバ（アナログＴＶドライバ２１とデジタルＴＶドライバ２２）が同時にリクエスト（アナログＴＶモード割り当てリクエスト／デジタルＴＶモード割り当てリクエスト）を出して、“競合”となった場合に、各ドライバ（アナログＴＶドライバ２１とデジタルＴＶドライバ２２）は、ランダムな時間、待って、再度、リクエスト（アナログＴＶモード割り当てリクエスト／デジタルＴＶモード割り当てリクエスト）を送信していたが、調停回路１８内で、例えば内部クロックの値が偶数か奇数か等、所定の条件の下に、いずれか一方のリクエスト（アナログＴＶモード割り当てリクエスト／デジタルＴＶモード割り当てリクエスト）を優先して割り当てを行うようにしてもよい。
【００３１】
図７に本発明の第２実施形態の構成を示す。この図７に示す第２実施形態の構成が上述した図１に示す第１実施形態の構成と特に異なるところは、１８のステータスを記憶する記憶手段として不揮発性メモリ１９を備えた点である。この第２実施形態においては、ハイブリッドＴＶ信号受信ボード１０（ハイブリッドＴＶ信号受信ボード１０を含むシステム）がスタンバイモードとなったとき、スタンバイモードに入る直前に調停回路１８が割り当てていたＴＶモードを上記不揮発性メモリ１９に保持しておくことで、以降、動作モード下に移行した際にスタンバイモード前のＴＶモード割当状態を継続することができる。
【００３２】
なお、上記したハイブリッドテレビジョン信号受信ボード１０、調停回路１８等の構成は、実施形態に示したものに限るものではなく、本発明の要旨を逸脱しない範囲で種々変更可能である。例えば上記実施形態では調停回路１８を論理ゲートにより構成したが、上記調停回路１８に相当する機能をファームウェアで実現してもよい。また、上記調停回路１８の機能をＭＰＥＧエンコーダあるいはＴＳキャプチャに内蔵されたファームウェアで実現してもよい。
【図面の簡単な説明】
【００３３】
【図１】本発明の第１実施形態に係るハイブリッドテレビジョン信号受信ボードおよびハイブリッドテレビジョン信号受信システムの構成を示すブロック図。
【図２】本発明の実施形態に係る調停回路の構成を示すブロック図。
【図３】上記調停回路の詳細な機能を示す図。
【図４】上記調停回路の具体的な回路構成例を示す図。
【図５】本発明の実施形態に係るＴＶドライバの処理手順を示すフローチャート。
【図６】本発明の実施形態に係るＴＶドライバの処理手順を示すフローチャート。
【図７】本発明の第２実施形態に係るに係るハイブリッドテレビジョン信号受信ボードおよびハイブリッドテレビジョン信号受信システムの構成を示すブロック図。
【符号の説明】
【００３４】
１０…ハイブリッドテレビジョン信号受信ボード、１１…アンテナ、１２…フロントエンドチューナ部、１３…ＩＦ信号切替部、１４…アナログＴＶ（テレビジョン）復調部、１５…ＭＰＥＧエンコーダ部、１６…デジタルＴＶ復調部、１７…ＭＰＥＧのＴＳキャプチャ部、１８…ＴＶモード割当回路（調停回路）、１８ａ…論理ゲート部、１８ｂ，１８ｃ…ラッチ回路（Ｌ）、１９…不揮発性メモリ、２０…パーソナルコンピュータ、２１…アナログＴＶドライバ、２２…デジタルＴＶドライバ、２３…ＴＶアプリケーション。
【図１】
2007089039.tif 000003
【図２】
2007089039.tif 000004
【図３】
2007089039.tif 000005
【図４】
2007089039.tif 000006
【図５】
2007089039.tif 000007
【図６】
2007089039.tif 000008
【図７】
2007089039.tif 000009